(57)【特許請求の範囲】
【請求項１】
コンピュータにおいて実行されるゲームのプログラムであって、
上記プログラムは、
上記コンピュータに、
上記ゲーム内で使用され、上記ゲーム内におけるグレードが段階的に変化する武器アイテムに対して、複数の武器アイテムの合成の要求を受け付けさせる合成受付ステップと、
上記合成受付ステップにより上記武器アイテムの合成要求を受け付けた場合、ベースとなる武器アイテムの選択に応じた操作を受け付けさせ、素材となる武器アイテムの選択に応じた操作を受け付けさせ、上記受け付けた操作により選択された素材となる武器アイテムを上記ベースとなる武器アイテムに合成させ、上記合成された武器アイテムのグレード値に応じて付与される上記ベースとなる武器アイテムの特性枠に上記素材となる武器アイテムの複数の枠に設定された複数の特性のうち、ユーザにより選択された特性を設定する特性設定ステップと
を実行させるプログラム。
【請求項２】
上記特性設定ステップは、さらに、上記ベースとなる武器アイテムの全ての特性枠に特性が設定されている場合、上記ユーザにより選択された特性を上記ベースとなる武器アイテムの特性枠に上書きして設定する、請求項１記載のプログラム。
【請求項３】
上記特性設定ステップは、さらに、上記ベースとなる武器アイテムの上書きして設定された特性の特性枠に設定されていた特性を削除する、請求項２記載のプログラム。
【請求項４】
上記ユーザにより選択された特性を上書きして設定するベースとなる武器アイテムの特性枠は、ユーザにより選択可能である、請求項２記載のプログラム。
【請求項５】
ゲーム内で使用され、上記ゲーム内におけるグレードが段階的に変化する武器アイテムに対して、複数の武器アイテムの合成の要求を受け付ける合成受付手段と、
上記合成受付手段により上記武器アイテムの合成要求を受け付けた場合、ベースとなる武器アイテムの選択に応じた操作を受け付け、素材となる武器アイテムの選択に応じた操作を受け付け、上記受け付けた操作により選択された素材となる武器アイテムを上記ベースとなる武器アイテムに合成し、上記合成された武器アイテムのグレード値に応じて付与される上記ベースとなる武器アイテムの特性枠に上記素材となる武器アイテムの複数の枠に設定された複数の特性のうち、ユーザにより選択された特性を設定する特性設定手段と
を備えるコンピュータ。
【発明の詳細な説明】
【技術分野】
【０００１】
本発明は、特にロールプレイングゲーム（ＲＰＧ）やカードバトルゲームなどに好適なコンピュータ及びコンピュータにおいて実行されるプログラムに関する。
【背景技術】
【０００２】
娯楽性の高いゲーム装置を実現するために、ゲーム内で使用するアイテムを合成するために必要な素材のレシピ情報を提示するようなゲーム制御方法が提案されている。（例えば、特許文献１）
【先行技術文献】
【特許文献】
【０００３】
【特許文献１】特開２００７−１１１３１９号公報
【発明の概要】
【発明が解決しようとする課題】
【０００４】
上記特許文献に記載された技術では、ゲーム内に提示されるレシピ情報にしたがって、例えば素材のアイテム「石」「金の粉」及び「命の水」を合成することで、あらたなアイテム「勇者の石」を合成し、さらにこの「勇者の石」を素材のアイテムとして他の素材のアイテム「鉄の剣」と合成することで、あらたなアイテム「勇者の剣」を得るようにしている。
【０００５】
このように与えられる組成を示す情報に基づいて複数のアイテムから全く異なるアイテムを生成するようなゲーム制御が従前から提案されている。
【０００６】
また、多くのロールプレイングゲームにおいては、特定のモンスターなどのキャラクタ同士、あるいはキャラクタとアイテムとを組み合わせて別のキャラクタに進化させることや、その際に組み合わせる内容によって進化するキャラクタが異なることが一般的な設定として採用されている。
【０００７】
このようにゲーム内で得られるアイテムやキャラクタなどを単に複数組み合わせることで、他のアイテムやキャラクタなどを生成することが広く知られている。
【０００８】
一方で各種ロールプレイングゲームやカードバトルゲームでは、キャラクタ、アイテムのいずれであっても、入手することが容易であるが故に、不必要であるにも拘わらず数多く入手してしまい、結局ゲームが終了するまで使用することがないようなものが往々にして存在する。
【０００９】
本発明は上記のような実情に鑑みてなされたもので、その目的とするところは、ゲーム内に現出する各種のゲーム媒体をユーザの好みに応じて有効に活用して、ゲームの進行に役立てることが可能なコンピュータ及びコンピュータにおいて実行されるプログラムを提供することにある。
【課題を解決するための手段】
【００１０】
本発明の一態様は、コンピュータにおいて実行されるゲームのプログラムであって、
上記プログラムは、
上記コンピュータに、
上記ゲーム内で使用され、上記ゲーム内におけるグレードが段階的に変化する武器アイテムに対して、複数の武器アイテムの合成の要求を受け付けさせる合成受付ステップと、
上記合成受付ステップにより上記武器アイテムの合成要求を受け付けた場合、ベースとなる武器アイテムの選択に応じた操作を受け付けさせ、素材となる武器アイテムの選択に応じた操作を受け付けさせ、上記受け付けた操作により選択された素材となる武器アイテムを上記ベースとなる武器アイテムに合成させ、上記合成された武器アイテムのグレード値に応じて付与される上記ベースとなる武器アイテムの特性枠に上記素材となる武器アイテムの複数の枠に設定された複数の特性のうち、ユーザにより選択された特性を設定する特性設定ステップと
を実行させるプログラム、である。
【発明の効果】
【００１１】
本発明によれば、ゲーム内に現出する各種のゲーム媒体をユーザの好みに応じて有効に活用して、ゲームの進行に役立てることが可能となる。
【図面の簡単な説明】
【００１２】
【図１】本発明の一実施形態に係るオンラインゲームシステムが使用される環境の一例を説明する図。
【図２】同実施形態に係る武器アイテムに関する概念について説明する図。
【図３】同実施形態に係るウェブサーバ装置が実行する武器アイテムの合成処理の内容を示すフローチャート。
【図４】同実施形態に係る武器アイテムの合成処理によるグレードの変化を示す図。
【図５】同実施形態に係るスキル設定の具体例を示す図。
【図６】同実施形態に係るスキル設定の具体例を示す図。
【図７】同実施形態に係るスキル設定の具体例を示す図。
【図８】同実施形態に係るスキル設定の具体例を示す図。
【発明を実施するための形態】
【００１３】
以下、本発明をロールプレイングゲーム（ＲＰＧ）を行なうオンラインゲームシステムに適用した場合の一実施形態について図面を参照して説明する。  
図１は、同実施形態に係るオンラインゲームシステムが使用される環境の一例を説明する図である。同図で、インターネットを含むネットワーク１に対して、ウェブサーバ装置２，３が接続されると共に、本システムでユーザが使用するクライアント装置となる携帯端末４，５が、無線ＬＡＮのアクセスポイント（ＡＰ）６あるいは無線通信回線網の基地局７を介して接続される。
【００１４】
ウェブサーバ装置２，３は、本実施形態に係るオンラインゲームシステムを実現するためのコンピュータであり、オンラインゲームのサービスを提供するべくネットワーク１に対して並列に複数台設置する。本実施形態では説明を簡易にするために２台のみを図示している。
【００１５】
一方、クライアント側の携帯端末４，５は、スマートフォン、フィーチャー・フォン（ｆｅａｔｕｒｅ  ｐｈｏｎｅ）などを含み、例えば、Ａｎｄｒｏｉｄ（登録商標）、ｉＯＳ（登録商標）などのＯＳ上で動作する携帯電話であっても良いし、さらにはノートブック型のパーソナルコンピュータ、モバイルコンピュータ、タブレット型コンピュータなどであってもよい。いずれにしても、本実施形態においては説明を簡易にするために２台のみを図示するが、これら携帯端末４，５のいずれにも、予めウェブサーバ装置２，３から提供されるオンラインゲームのためのゲーム用アプリケーションプログラムがインストールされているものとする。
【００１６】
次に上記実施形態の動作について説明する。  
図２は、ウェブサーバ装置２，３が提供するロールプレイングゲーム内で、プレーヤが操作するキャラクタ（以下「プレーヤキャラクタ」と称する）が使用することが可能なアイテム、特に武器アイテムに関する概念について説明する図を示す。同図に示すようにこのゲームシステムで使用できる武器アイテムは、図２（Ａ）に示すグレード１から図２（Ｃ）に示すグレード３までの３段階のグレードを有する。図２は、いずれも武器アイテムの１つである「ナイフ」を例にとって示している。
【００１７】
この武器アイテム「ナイフ」は、グレードに応じて、主人公のプレーヤキャラクタが使いこなすことが可能なレベルの上限を示すレベル（Ｌｖ．）キャップが設定されているものとする。当然ながら、最下段階のグレード１から、グレード２、グレード３と段階が上がるに連れて、レベルキャップで設定する最大レベルも上がるものとする。
【００１８】
さらに、武器アイテムは、この「ナイフ」も含めてグレード値に応じた数の特性（以下「スキル」と称する）を設定可能な枠（以下「スキル枠」と称する）が付与されるものとする。最下段階のグレード１には、予め１つのスキル枠（１）が設定されるもので、武器アイテムの種類やその個体毎によっても、スキル枠（１）内に実際のスキルが設定されたものと、設定されていないものとが混在するものとする。
【００１９】
グレードが上がることにより付与されるスキル枠（２），（３）は、いずれも付与された当初は枠内に何も設定されておらず、ユーザが他の武器アイテム等を用いて後述するスキル変化合成の処理を実行することにより、任意に設定されるものとする。
【００２０】
図２（Ａ）〜図２（Ｃ）の左側には、例えば主人公のプレーヤキャラクタが所有しているアイテムを一覧表示する場合などで携帯端末４の表示部に表示される、この武器アイテム「ナイフ」の表示情報としてのアイコンを例示するもので、ナイフの画像に加えて、このゲーム内において武器アイテム「ナイフ」を示すイニシャル「Ｎ」と、グレード及びスキル枠の数に応じた数の星マークを併設している。星マークは、スキル枠内が設定されている場合は黒星、スキル枠内が設定されておらず空である場合は白星とする。
【００２１】
また、本図では説明しないが、スキル枠に設定するスキルの属性に応じて、例えば「炎」の属性を有するスキルでは赤色、「氷」の属性を有するスキルでは青色、「雷」の属性を有するスキルでは黄色、など、スキルが設定されている場合には、そのスキルの属性に合わせた色の星を表示するものとしても良い。
【００２２】
以下、ゲーム内でユーザが所持する携帯端末４，５からの操作を受け、ネットワーク１を介してウェブサーバ装置２，３が実行する武器アイテムのグレードアップ動作について説明する。
【００２３】
図３は、ウェブサーバ装置２，３によって実行される、ロールプレイングゲーム内の武器アイテムの合成処理に関する内容を示すフローチャートである。以下、ウェブサーバ装置２が処理を実行し、合成を要求してきた携帯端末４に対してゲーム環境を提供する場合について説明する。
【００２４】
ウェブサーバ装置２では、処理当初にネットワーク１を介して武器アイテムの合成の要求が端末装置側からなされるのを待機する（ステップＳ１０１）。  
同要求を受けた場合、ウェブサーバ装置２は上記ステップＳ１０１で要求があったことを判断すると、同要求をしてきた携帯端末４に対してもまずベースとなる武器アイテムの選択を促し、携帯端末４からの選択に応じた操作を受け付ける（ステップＳ１０２）。
【００２５】
このベースとなる側の武器アイテムは、その時点で設定されているスキル枠の内容が維持された上で、あらたにスキル枠が追加されることになる。
【００２６】
携帯端末４側でベースとなる武器アイテムを選択する操作がなされた場合、ウェブサーバ装置２ではまずその選択された武器アイテムがグレード３であるか否かを判断する（ステップＳ１０３）。
【００２７】
ここで選択されたベースとなる武器アイテムがグレード３であると判断した場合、それ以上のグレードアップを行なうことはできないものとして、ウェブサーバ装置２は携帯端末４に対してそれ以上の武器合成は不可である旨を示すガイドメッセージの表示画像データを送信した上で（ステップＳ１０４）、他の携帯端末または同一携帯端末から別の武器アイテムの合成処理が要求されるのに備えるべく、再び上記ステップＳ１０１からの処理に戻る。
【００２８】
また上記ステップＳ１０３で選択されたベースとなる武器アイテムがグレード３ではないと判断すると、ウェブサーバ装置２は次にベースとなる武器アイテムと、同一グレード、且つ同一の素材となる武器アイテムがあるか否かを携帯端末４側に問い合わせる（ステップＳ１０５）。
【００２９】
ここで同一グレード、且つ同一の素材となる武器アイテムがないと携帯端末４側から応答があった場合、やはり選択された武器アイテムのグレードアップを行なうことはできないものとして、ウェブサーバ装置２は携帯端末４に対して素材となる武器アイテムが欠如している旨を示すガイドメッセージの表示画像データを送信した上で（ステップＳ１０６）、他の携帯端末または同一携帯端末から別の武器アイテムの合成処理が要求されるのに備えるべく、再び上記ステップＳ１０１からの処理に戻る。
【００３０】
また上記ステップＳ１０５で同一グレード、且つ同一の素材となる武器アイテムがあると判断した場合、ウェブサーバ装置２は素材となる武器アイテムの選択を促し、携帯端末４からの選択に応じた操作を受け付ける（ステップＳ１０７）。
【００３１】
そして、携帯端末４側で素材となる武器アイテムを選択する操作がなされた場合、その操作を受け付けたウェブサーバ装置２は、ベースとなる武器アイテムの基礎値を上げ、グレードを１段階上げると共に、スキル枠を１つ追加設定し（ステップＳ１０８）、合わせて素材として選択された側の武器アイテムに関しては、上記武器合成により消費されたものとして、携帯端末４に対して消去するよう指示する（ステップＳ１０９）。
【００３２】
以上で武器アイテムの合成を要求してきた携帯端末４に対する一連の処理を一旦終了して、他の携帯端末または同一携帯端末から別の武器アイテムの合成処理が要求されるのに備えるべく、再び上記ステップＳ１０１からの処理に戻る。
【００３３】
図４は、上記武器アイテム「ナイフ」の合成処理によるグレードの変化を示す。上述した如く本実施形態では同一グレードの同一の武器アイテム同士を合成することにより、グレードが上がるものとした。
【００３４】
すなわち、図４（Ａ）に示すグレード１の武器アイテム「ナイフ」と、同じく図４（Ｂ）に示すグレード１の武器アイテム「ナイフ」とを合成することにより、図４（Ｅ）に示すグレード２の武器アイテム「ナイフ」が生成され、ここでは図示しないが２個目のスキル枠（２）が追加されることになる。
【００３５】
同様に、図４（Ｃ）に示すグレード１の武器アイテム「ナイフ」と、同じく図４（Ｄ）に示すグレード１の武器アイテム「ナイフ」とを合成することにより、図４（Ｆ）に示すグレード２の武器アイテム「ナイフ」が生成され、ここでは図示しないが２個目のスキル枠（２）が追加される。
【００３６】
さらに、上記図４（Ｅ）に示すグレード２の武器アイテム「ナイフ」と、上記図４（Ｆ）に示すグレード２の武器アイテム「ナイフ」とを合成することにより、図４（Ｇ）に示すグレード３の武器アイテム「ナイフ」が生成され、ここでは図示しないが３個目のスキル枠（３）が追加されることになる。上述した如く、これ以上のグレードアップは不可となる。
【００３７】
次に、スキル枠に何らかのスキルを設定する場合の動作についても合わせて図面により説明する。なお、スキル枠に対するスキルの設定に関しては、ベースとなる武器アイテムと、素材となる武器アイテムが同一のグレード、あるいは同一の武器アイテムである必要はないものとする。
【００３８】
図５は、ベースとなる武器アイテムのスキル枠に空きがある場合の、スキル設定の具体例を示す。図５（Ａ）に示すベースとなるグレード２の武器アイテム「ソード」のスキル枠（２）が空いており、これに素材としてグレード１の武器アイテム「ナイフ」を選択した場合を示す。素材側の武器アイテム「ナイフ」はグレード１であり、スキル枠（１）のスキル「ＨＰ＋１００（初期）」しかスキルの設定がない。
【００３９】
したがって、選択の余地なく、その素材側のスキル「ＨＰ＋１００（初期）」が、ベースとなるグレード２の武器アイテム「ソード」のスキル枠（２）に設定される。素材となったグレード１の武器アイテム「ナイフ」は、スキル設定後に消去される。
【００４０】
図６は、ベースとなる武器アイテムのスキル枠に空きがない場合の、スキル設定の具体例を示す。図６（Ａ）に示すベースとなるグレード２の武器アイテム「ソード」は、スキル枠（２）にも既にスキルが設定されており、このスキル枠（２）のスキル「攻撃力＋１０」を図示する如く削除対象として選択した後に、素材としてグレード１の武器アイテム「ナイフ」を選択した場合を示す。素材側の武器アイテム「ナイフ」はグレード１であり、スキル枠（１）のスキル「ＨＰ＋１００（初期）」しかスキルの設定がない。
【００４１】
したがって、選択の余地なく、その素材側のスキル「ＨＰ＋１００（初期）」が、ベースとなるグレード２の武器アイテム「ソード」のスキル枠（２）に上書きで設定され、元のスキル「攻撃力＋１０」が削除される。素材となったグレード１の武器アイテム「ナイフ」は、スキル設定後に消去される。
【００４２】
図７は、ベースとなる武器アイテムのスキル枠に空きがあり、且つ素材となる武器アイテムに複数のスキルがある場合の、スキル設定の具体例を示す。図７（Ａ）に示すベースとなるグレード２の武器アイテム「ソード」は、スキル枠（２）にスキルが設定されておらず、図７（Ｂ）に示すように、素材となるグレード２の武器アイテム「ナイフ」を選択した場合を示す。この場合、素材側の武器アイテム「ナイフ」はグレード２であり、スキル枠（１）（２）共にスキルが既に設定されている。ここではスキル枠（２）のスキル「ドロップ率アップ」をベース側に合成するスキルとして選択するものとする。
【００４３】
したがって、素材側の選択したスキル「ドロップ率アップ」が、ベースとなるグレード２の武器アイテム「ソード」のスキル枠（２）に設定される。素材となったグレード２の武器アイテム「ナイフ」は、スキル設定後に消去される。
【００４４】
図８は、ベースとなる武器アイテムのスキル枠に空きがなく、且つ素材となる武器アイテムに複数のスキルがある場合の、スキル設定の具体例を示す。図８（Ａ）に示すベースとなるグレード２の武器アイテム「ソード」は、スキル枠（２）にも既にスキルが設定されており、このスキル枠（２）のスキル「攻撃力＋１０」を図示する如く削除対象として選択した後に、図８（Ｂ）に示すように、素材となるグレード２の武器アイテム「ナイフ」を選択した場合を示す。この場合、素材側の武器アイテム「ナイフ」はグレード２であり、スキル枠（１）（２）共にスキルが既に設定されている。ここではスキル枠（２）のスキル「ドロップ率アップ」をベース側に合成するスキルとして選択するものとする。
【００４５】
したがって、素材側の選択したスキル「ドロップ率アップ」が、ベースとなるグレード２の武器アイテム「ソード」のスキル枠（２）に上書きで設定され、元のスキル「攻撃力＋１０」が削除される。素材となったグレード２の武器アイテム「ナイフ」は、スキル設定後に消去される。
【００４６】
なお上記実施形態では、武器アイテムとしての「ナイフ」あるいは「ソード」に関する合成に伴うグレードアップやスキル枠に対する設定を行なう場合に関して説明したが、本発明におけるゲーム内のゲーム媒体としては、例えば武器アイテムなどのアイテムの種類を限定するものではなく、さらにはアイテムのみならず、ゲーム内に現出する他のゲーム媒体、例えばプレーヤキャラクタやプレーヤキャラクタに装着する各種装備、プレーヤキャラクタと行動を共にする他のキャラクタ、プレーヤキャラクタが使役するペットやモンスター、使用できる技や魔法の呪文等であっても同様に適用可能となる。
【００４７】
以上詳述した如く本実施形態によれば、ゲーム内に現出する各種のゲーム媒体をユーザの好みに応じて有効に活用して、ゲームの進行に役立てることが可能となる。
【００４８】
加えて上記実施形態では、付与されたスキル枠に、所有している他のアイテム等から任意にスキルを設定できるものとしたので、ユーザによるカスタマイズの幅を広げて、より愛着のあるゲーム環境を実現できる。
【００４９】
さらに上記実施形態では、スキル枠を追加設定した武器アイテムに関し、アイコンでそのアイテムを表示する際に、スキル枠の数やスキル枠に対するスキルの設定の有無、あるいは設定されているスキルの属性等を画像情報として表示することを可能としたので、ゲーム媒体としてのアイテムの状態を視覚的に理解し易く、ゲームを円滑に進行することが可能となる。
【００５０】
なお上記実施形態では説明しなかったが、アイテムのグレードアップのための合成や、そのアイテムを用いての攻撃、防御等に関し、ユーザが操作するプレーヤキャラクタのレベルに応じて制限を加えるようにすることで、プレーヤキャラクタを充分に育成することで、アイテム類もより強力なものを合成して使用できるような設定を採用することも可能であり、こうすることでよりゲーム性を高めることができる。
【００５１】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００５２】
１…ネットワーク、２，３…ウェブサーバ装置、４，５…携帯端末、６…アクセスポイント（ＡＰ）、７…基地局。
【図１】
0005847276.tif 000002
【図２】
0005847276.tif 000003
【図３】
0005847276.tif 000004
【図４】
0005847276.tif 000005
【図５】
0005847276.tif 000006
【図６】
0005847276.tif 000007
【図７】
0005847276.tif 000008
【図８】
0005847276.tif 000009